(57)【要約】【課題】  本発明は軽い洗濯物は従来と同様に使用することができるとともに、重いジーンズや作業用ズボン等の洗濯物を干しても、強風等によって脱落することがない物干しハンガーを得るにある。【解決手段】  フレームに多数個のピンチが取付けられた物干しハンガーにおいて、前記フレームにベルト通し部等に係止することができる複数個のフックを設けて物干しハンガーを構成している。【選択図】  図１
2007000306.tif 000002
【特許請求の範囲】
【請求項１】
フレームに多数個のピンチが取付けられた物干しハンガーにおいて、前記フレームにベルト通し部等に係止することができる複数個のフックを設けたことを特徴とする物干しハンガー。
【請求項２】
フレームに多数個のピンチが取付けられた物干しハンガーにおいて、前記フレームにベルト通し部等を有するズボン等の洗濯物を筒状にして干すことができる、該ベルト通し部等に係止することができるほぼＬ字状の複数個のフックを設けたことを特徴とする物干しハンガー。
【発明の詳細な説明】
【技術分野】
【０００１】
本発明は洗濯物を干す場合に使用される物干しハンガーに関する。
【背景技術】
【０００２】
従来の物干しハンガーはフレームに多数個のピンチを取付けて構成している。
このため、軽い洗濯物を干す場合の使用においては問題が生じないが、重いジーンズ、作業用ズボン等を干す場合に使用すると、ピンチの強度が十分でなく、強風等によってピンチから外れ、落下してしまうという欠点があった。
【特許文献１】特開平７−１２４３８６
【発明の開示】
【発明が解決しようとする課題】
【０００３】
本発明は以上のような従来の欠点に鑑み、軽い洗濯物は従来と同様に使用することができるとともに、重いジーンズや作業用ズボン等の洗濯物を干しても、強風等によって脱落することがない物干しハンガーを提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明はフレームに多数個のピンチが取付けられた物干しハンガーにおいて、前記フレームにベルト通し部等に係止することができる複数個のフックを設けて物干しハンガーを構成している。
【発明の効果】
【０００６】
以上の説明から明らかなように、本発明にあっては次に列挙する効果が得られる。
【０００７】
（１）フレームに多数個のピンチが取付けられた物干しハンガーにおいて、前記フレームにベルト通し部等に係止することができる複数個のフックを設けたので、重いジーンズや作業用ズボン等の洗濯物のベルト通し部等の、少なくとも１箇所以上にフックを係止させることにより、強風でピンチから外れてもフックで係止でき、落下するのを防止することができる。
したがって、安心して重い洗濯物でも干すことができる。
【０００８】
（２）前記（１）によって、フレームに複数個のフックを設けるだけでよいので、容易で、安価に製造することができる。
【０００９】
（３）前記（１）によって、ピンチとフックを用いて洗濯物を干すことができる。
したがって、洗濯物の干し方を、洗濯物に応じた干し方で干すことできる。
【００１０】
（４）請求項２も前記（１）〜（３）と同様な効果が得られる。
【発明を実施するための最良の形態】
【００１１】
以下、図面に示す本発明を実施するための最良の形態より、本発明を詳細に説明する。
【００１２】
図１ないし図４に示す本発明を実施するための最良の第１の形態において、１は本発明の物干しハンガーで、この物干しハンガー１はフレーム２と、このフレーム２に取付けられた、該フレーム２を物干し竿３に吊り下げるための先端部にフック４が取付けられた吊り下げ具５と、前記フレーム２に取付けられた多数個のピンチ６と、前記フレーム２に取付けられたジーンズや作業用ズボンのベルト通し部やループ状の紐等に係止することができる複数個のほぼＬ字状のフック７とで構成されている。
【００１３】
前記フレーム２は同心状に配置された大小のリング８、９と、この大小のリング８、９を接続する接続バー１０、１０、１０、１０、１０、１０とからなり、大リング８には前記ピンチ６とフック７とが交互に配置され、小リング９にはピンチ６、６とフック７、７とが対向するように配置されている。
【００１４】
上記構成の物干しハンガー１は、物干し竿３に吊り下げ具５のフック４を係止して吊り下げ、重いジーンズ等の洗濯物１１は筒状となるようにベルト通し部１２にフック７を通して吊り下げる。
この時、フック７だけで重い洗濯物１１を吊り下げてもよいが、１個以上のフック７とピンチ６を用いて吊り下げ、干してもよい。
また、使用していないピンチ６には軽い洗濯物１３を吊り下げて干したり、遊んでいるフック７に紐付きピンチ１４を取付けて軽い洗濯物１３を該紐付きピンチ１４を用いて吊り下げて干したり、紐付きピンチ１４の保管に用いてもよい。
[発明を実施するための異なる形態]
【００１５】
次に、図５ないし図９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図５および図６に示す本発明を実施するための第２の形態において、前記本発明を実施するための最良の第１の形態と主に異なる点は、中央部より折りたたむことができるフレーム２Ａに多数個のピンチ６と複数個のフック７とを取付けた点で、このように構成した物干しハンガー１Ａにしても、前記本発明を実施するための最良の第１の形態と同様な作用効果が得られる。
【００１７】
図７ないし図９に示す本発明を実施するための第３の形態において、前記本発明を実施するための最良の第１の形態と主に異なる点は、所定位置のピンチ６の吊り下げ具６ａに上端部の係合部１５がそれぞれ取付けられる複数個のフック７Ａを用いた点で、このようにピンチ６の吊り下げ具６ａに取付けられたフック７Ａを用いて構成された物干しハンガー１Ｂにしても、前記本発明を実施するための最良の第１の形態と同様な作用効果が得られるとともに、既存の物干しハンガーにフック７Ａを取付けるだけで実施することができる。
なお、ピンチ６の吊り下げ具６ａに取付けられるフック７Ａの係合部１５を吊り下げ具６ａに着脱可能に取付けられる形状にしたものを用いてもよい。
【産業上の利用可能性】
【００１８】
本発明は物干しハンガーを製造する産業で利用される。
【図面の簡単な説明】
【００１９】
【図１】本発明を実施するための最良の第１の形態の斜視図。
【図２】本発明を実施するための最良の第１の形態のフックの説明図。
【図３】本発明を実施するための最良の第１の形態のフックの取付け状態の説明図。
【図４】本発明を実施するための最良の第１の形態の使用状態の斜視図。
【図５】本発明を実施するための第２の形態の斜視図。
【図６】本発明を実施するための第２の形態の使用状態の説明図。
【図７】本発明を実施するための第３の形態の斜視図。
【図８】本発明を実施するための第３の形態のフックの取付け状態の説明図。
【図９】本発明を実施するための第３の形態の使用状態の説明図。
【符号の説明】
【００２０】
１、１Ａ、１Ｂ：物干しハンガー、        
２、２Ａ：フレーム、          ３：物干し竿、
４：フック、                  ５：吊り下げ具、
６：ピンチ、                  ７、７Ａ：フック、
８：大リング、                ９：小リング、
１０：接続バー、              １１：重い洗濯物、
１２：ベルト通し部、          １３：軽い洗濯物、
１４：紐付きピンチ、          １５：係合部。
【図１】
2007000306.tif 000003
【図２】
2007000306.tif 000004
【図３】
2007000306.tif 000005
【図４】
2007000306.tif 000006
【図５】
2007000306.tif 000007
【図６】
2007000306.tif 000008
【図７】
2007000306.tif 000009
【図８】
2007000306.tif 000010
【図９】
2007000306.tif 000011